(57)【要約】【課題】大型の表示カードを保持するためのカードレールを少ない部材点数で構成し、しかも、保持する表示カードの差し替えを容易に行えるようにする。【解決手段】ショーケースの棚板１の先端部に取付けられる棚フェンス固定レール３と、棚フェンス固定レール３に取付けられる棚フェンス４とを有し、棚フェンス４は、棚フェンス固定レール３に取付けられる取付部９と、上向きに延出して棚板２上に載置された商品の落下を防止する棚フェンス本体１０と、棚フェンス本体１０の上端部から下向きに折り曲げられて下方に延出し、その折曲部分が可撓性を有する第１挟持体１１と、第１挟持体１１の下端部から上向きに折り曲げられて上方に延出し、その折曲部分が可撓性を有する第２挟持体１２とを有し、棚フェンス本体１０と第１挟持体１１との間に各種の表示カードが挟持して保持され、第１挟持体１１と第２挟持体１２との間に各種の表示カードが挟持して保持される。【選択図】図１
2020078386.tif 000002
【特許請求の範囲】
【請求項１】
ショーケースの棚板の先端部に取付けられる棚フェンス固定レールと、
前記棚フェンス固定レールに取付けられる棚フェンスとを有し、
前記棚フェンスは、前記棚フェンス固定レールに取付けられる取付部と、上向きに延出して前記棚板上に載置された商品が落下することを防止する棚フェンス本体と、前記棚フェンス本体の上端部から下向きに折り曲げられて下方に延出し、その折曲部分が可撓性を有する第１挟持体と、前記第１挟持体の下端部から上向きに折り曲げられて上方に延出し、その折曲部分が可撓性を有する第２挟持体とを有し、
前記棚フェンス本体と前記第１挟持体との間に各種の表示カードが挟持して保持され、
前記第１挟持体と前記第２挟持体との間に各種の表示カードが挟持して保持されていることを特徴とするショーケースのカードレール。
【請求項２】
前記棚フェンス固定レールに、前記棚フェンス本体と前記第１挟持体との間に挟持される前記表示カードの下端縁を保持する保持溝が形成されていることを特徴とする請求項１記載のショーケースのカードレール。
【発明の詳細な説明】
【技術分野】
【０００１】
本発明は、ショーケースの棚板の先端部に取付けられるカードレールに関し、特に、上下方向の高さ寸法が大きい大型の表示カードを保持することができるショーケースのカードレールに関する。
【背景技術】
【０００２】
従来、ショーケースの棚板の先端部には、棚板の上に載置された商品の価格を表示したカード（プライスカード）等を保持するカードレールが取付けられている。このようなカードレールの一例としては、下記特許文献１、２に記載されたものが知られている。
【０００３】
特許文献１に記載されたカードレールは、プライスカード（タグ）を保持する部分（タグモール）の上下方向の幅寸法が小さく、上下方向の幅寸法が大きい大型の表示カードは保持することができない。そこで、タグモールの下側に設けられている遮光シェードに大型の表示カードを保持する保持部を形成し、この遮光シェードに大型の表示カードを保持している。しかしその場合には、大型の表示カードが棚板の下方に位置するとともに棚板の上に陳列された商品と表示カードとの距離が離れてしまい、商品を見ながら表示カードを見ることが難しいという問題がある。
【０００４】
そこで、特許文献２のカードレールでは、棚板の前方部分に大型の表示カードを保持することができるようにしている。具体的には、棚板の先端側に棚フェンス取付部材を取付け、この棚フェンス取付部材に棚フェンスを取付け、棚フェンスにカードホルダを取付けている。カードホルダは上端部が棚フェンスの上端部まで延びているので上下方向の寸法が大きくなり、このカードホルダには上下方向の幅寸法の大きい大型の表示カードを保持することが可能となっている。
【先行技術文献】
【特許文献】
【０００５】
【特許文献１】特開平１０−１２７４４７号公報
【特許文献２】特開平９−２６５２５６号公報
【発明の概要】
【発明が解決しようとする課題】
【０００６】
しかしながら、特許文献２に記載されたカードレールは、棚フェンス取付部材と、棚フェンスと、カードホルダとの３部材からなり、部品点数が多く製造コストが高くなっている。また、棚フェンスには上下方向の幅寸法が小さい表示カード（例えば、プライスカード）を保持する保持部が設けられているが、この保持部に表示カードを差し替えるためにはその都度カードホルダを棚フェンスから取外さなければならず、棚フェンスの保持部への表示カードの差し替えには手間がかかっている。
【０００７】
本発明は、このような課題を解決するためになされたものであり、その目的は、大型の表示カードを保持するためのカードレールを少ない部材点数で構成し、しかも、保持する表示カードの差し替えを容易に行うことができるショーケースのカードレールを提供することである。
【課題を解決するための手段】
【０００８】
本発明に係るショーケースのカードレールは、ショーケースの棚板の先端部に取付けられる棚フェンス固定レールと、前記棚フェンス固定レールに取付けられる棚フェンスとを有し、前記棚フェンスは、前記棚フェンス固定レールに取付けられる取付部と、上向きに延出して前記棚板上に載置された商品が落下することを防止する棚フェンス本体と、前記棚フェンス本体の上端部から下向きに折り曲げられて下方に延出し、その折曲部分が可撓性を有する第１挟持体と、前記第１挟持体の下端部から上向きに折り曲げられて上方に延出し、その折曲部分が可撓性を有する第２挟持体とを有し、前記棚フェンス本体と前記第１挟持体との間に各種の表示カードが挟持して保持され、前記第１挟持体と前記第２挟持体との間に各種の表示カードが挟持して保持されている。
【０００９】
また、前記棚フェンス固定レールに、前記棚フェンス本体と前記第１挟持体との間に挟持される前記表示カードの下端縁を保持する保持溝が形成されていることが望ましい。
【発明の効果】
【００１０】
本発明に係るショーケースのカードレールは、棚板の先端部に取付けられる棚フェンス固定レールと、棚フェンス固定レールに取付けられる棚フェンスとの２部材からなり、カードレールを構成する部材点数を少なくすることができる。このカードレールにおいて表示カードを保持する場合、棚フェンス本体と第１挟持体との間に挟持して保持することができ、及び、第１挟持体と第２挟持体との間に狭持して保持することができる。そして、棚フェンス本体と第１挟持体との間に挟持される表示カードの上下方向の幅寸法は、棚板より上方に延出している棚フェンス本体の上端部から少なくとも棚板の下端縁まで延出させることができる第１挟持体の下端部までの寸法とすることができ、大型とすることができる。また、第１挟持体と第２挟持体との間に挟持して保持される表示カードの上下方向の幅寸法は、少なくとも棚板の下端縁から少なくとも棚フェンス本体の上端部までの寸法とすることができ、大型とすることができる。従って、このカードレールでは、上下方向の幅寸法が大きい大型の表示カードを保持することができる。そして、棚フェンス本体と第１挟持体との間に狭持して保持された表示カードの差し替えを、第１挟持体を棚フェンスとの折曲部分から下向きに開放するように撓ませて行うことができる。また、第１挟持体と第２挟持体との間に狭持して保持された表示カードの差し替えを、第２挟持体を第１挟持体との折曲部分から上向きに開放するように撓ませて行うことができる。従って、このカードホルダでは、保持する表示カードの差し替えを手間をかけず容易に行うことができる。
【００１１】
また、棚フェンス本体と第１挟持体との間に挟持される表示カードは、その下端縁が棚フェンス固定レールの保持溝により保持されているため、脱落することがない。
【図面の簡単な説明】
【００１２】
【図１】棚板へのカードレールの取付状態を示す断面側面図である。
【図２】棚板へのカードレールの取付状態を示す斜視図である。
【図３】棚フェンス固定レールを示す側面図である。
【図４】棚フェンスを示す側面図である。
【図５】棚フェンスの第１挟持体を開放位置に撓ませた状態を示す側面図である。
【図６】棚フェンスの第２挟持体を開放位置に撓ませた状態を示す側面図である。
【発明を実施するための形態】
【００１３】
本発明の一実施形態について、図面に基づいて説明する。図１はショーケースの棚板１へのカードレール２の取付状態を示す断面側面図であり、図２は棚板１へのカードレール２の取付状態を示す斜視図である。カードレール２は、棚板１の先端部に取付けられる棚フェンス固定レール３と、棚フェンス固定レール３に取付けられる棚フェンス４との２部材から構成されている。
【００１４】
棚フェンス固定レール３は、図３に示すように、立上り部５と、係合溝部６と、保持溝７とを有している。係合溝部６を棚板１に形成された係合部１ａに係合させることにより、棚フェンス固定レール３が棚板１に取付けられている。図１に示すように棚フェンス固定レール３が棚板１に取付けられた場合、立上り部５が棚板１の先端部に対向し、立上り部５と棚板１の先端部との間には棚フェンス４を取付けるための取付用隙間８が形成される。尚、図１及び図２に示すように、棚フェンス固定レール３には、棚板１の下面側に設けられている照明灯１ｂの光が客の目に直接入ることを防止するための乳白色の棚照明カバー１ｃが取付けられている。
【００１５】
棚フェンス４は、図４に示すように、取付部９と、棚フェンス本体１０と、第１挟持体１１と、第２挟持体１２とを有している。
【００１６】
取付部９は、棚フェンス４を棚フェンス固定レール３に取付けるための部分であり、下向きに延出している。この取付部９が取付用隙間８に挿入されることにより、棚フェンス４が棚フェンス固定レール３に取付けられている。
【００１７】
棚フェンス本体１０は、取付部９の上端部から上向きに延出した部分であり、棚フェンス４が棚フェンス固定レール３に取付けられた場合に、棚板１上に載置された商品が落下することを防止している。
【００１８】
第１挟持体１１は、棚フェンス本体１０の上端部から下向きに折り曲げられて下方に延出した部分であり、下端部は棚板１の下端縁まで延出している。棚フェンス本体１０と第１挟持体１１との折曲部分は可撓性を有し、第１挟持体１１を、図４に示すように棚フェンス本体１０に近接又は当接する位置と、図５に示すように棚フェンス本体１０から離反して下向きに開放する位置との間で撓ませることができる。そして、棚フェンス本体１０と第１挟持体１１との間には、図５に示すように、各種の表示カードＡを挟持して保持することが可能とされている。棚フェンス本体１０と第１挟持体１１との間に挟持して保持される表示カードＡの上下方向の幅寸法は、棚フェンス本体１０の上端部から棚板１の下端縁までの大きな寸法とすることができ、大型の表示カードＡを保持することができるようになっている。また、棚フェンス本体１０と第１挟持体１１との間に挟持して保持される表示カードＡの下端縁は、棚フェンス固定レール３の保持溝７に保持されている。
【００１９】
第２挟持体１２は、第１挟持体１１の下端部から上向きに折り曲げられ、棚フェンス本体１０の上端部まで上方に延出している。第２挟持体１２と第１挟持体１１との折曲部分は可撓性を有し、第１挟持体１２を、図４に示すように第１挟持体１１に近接又は当接する位置と、図６に示すように第１挟持体１１から離反して上向きに開放する位置との間で撓ませることができる。そして、第２挟持体１２と第１挟持体１１との間には、図６に示すように各種の表示カードＢを挟持して保持することが可能とされている。第２挟持体１２と第１挟持体１１との間に挟持して保持される表示カードＢの上下方向の幅寸法は、棚板１の下端縁から棚フェンス本体１０の上端部までの大きな寸法とすることができ、大型の表示カードＢを保持することができるようになっている。
【００２０】
このような構成において、このカードレール２は、棚板１の先端部に取付けられる棚フェンス固定レール３と、棚フェンス固定レール３に取付けられる棚フェンス４との２部材からなるので、カードレール２を構成する部材点数が少なくなり、製造コストが低減される。
【００２１】
このカードレール２においては、図５に示すように棚フェンス本体１０と第１挟持体１１との間に表示カードＡを挟持して保持することができ、及び、図６に示すように、第１挟持体１１と第２挟持体１２との間に表示カードＢを狭持して保持することができる。例えば、表示カードＡとしては、商品の通常時の値段を表示したプライスカードを挙げることができ、表示カードＢとしては広告時の値段を表示したプライスカードを挙げることができる。
【００２２】
ここで、表示カードＡの上下方向の幅寸法は、棚板１より上方に延出している棚フェンス本体１０の上端部から少なくとも棚板１の下端縁まで延出させることができる第１挟持体１１の下端部までの寸法とすることができ、大型とすることができる。また、表示カードＢの上下方向の幅寸法は、少なくとも棚板１の下端縁から少なくとも棚フェンス本体１０の上端部までの寸法とすることができ、大型とすることができる。従って、このカードレール２では、上下方向の幅寸法が大きい大型の表示カードＡ、Ｂを保持することができる。
【００２３】
表示カードＡの保持は、図５に示すように、第１挟持体１１を棚フェンス本体１０から離反する方向へ撓ませ、第１挟持体１１と棚フェンス本体１０との間に表示カードＡを湾曲させて差し込むことにより行うことができる。また、表示カードＡの取外しは、図５に示すように第１挟持体１１を棚フェンス本体１０から離反する方向へ撓ませた後、第１挟持体１１と棚フェンス本体１０との間から表示カードＡを抜き取ることにより行うことができる。
【００２４】
棚フェンス本体１０と第１挟持体１１との間に保持された表示カードＡは、その下端縁を保持溝７に保持されているので、表示カードＡが棚フェンス本体１０と第１挟持体１１との間からら脱落することが防止されている。
【００２５】
表示カードＢの保持は、図６に示すように、第２挟持体１２を第１挟持体１１から離反する方向へ撓ませ、第２挟持体１２と第１挟持体１１との間に表示カードＢを差し込むことにより行うことができる。また、表示カードＢの取外しは、図６に示すように第２挟持体１２を第１挟持体１１から離反する方向へ撓ませた後、第２挟持体１２と第１挟持体１１との間から抜き取ることにより行うことができる。
【００２６】
従って、このカードレール２では、表示カードＡ、Ｂの差し替え（保持、取外し）を、手間をかけず容易に行うことができる。
【００２７】
なお、本実施の形態では、棚フェンス本体１０と第１挟持体１１との間に１枚の表示カードＡを保持した場合を例に挙げて説明しているが、この棚フェンス本体１０と第１挟持体１１との間に通常時のプライスカードとカラーモールとの２枚の表示カードを保持してもよい。
【符号の説明】
【００２８】
１      棚板
１ａ    係合部
１ｂ    照明灯
１ｃ    棚照明カバー
２      カードレール
３      棚フェンス固定レール
４      棚フェンス
５      立上り部
６      係合溝部
７      保持溝
８      取付用隙間
９      取付部
１０      棚フェンス本体
１１      第１挟持部
１２      第２挟持部
Ａ、Ｂ    表示カード
【図１】
2020078386.tif 000003
【図２】
2020078386.tif 000004
【図３】
2020078386.tif 000005
【図４】
2020078386.tif 000006
【図５】
2020078386.tif 000007
【図６】
2020078386.tif 000008